(57)【特許請求の範囲】
【請求項１】
ランプソケットアセンブリであって、
光源の圧力封止端を受けるための開口部を有するソケットと、
前記開口部内に配置された複数の電気コンタクトと、
複数の端子とを備え、前記複数の端子の各々は前記コンタクトの１つに電気的に接続され、
前記ソケットは、
ナイロン６、ナイロン６，６、およびその混合物または共重合体からなる群から選ばれるポリアミドを備え、非結晶組織を有するハウジングと、
ナイロン４，６から形成され、結晶ポリマー構造を有し、前記光源から放射されたＵＶ光に曝されるボディとを備える、ランプソケットアセンブリ。
【請求項２】
前記ハウジングは、ポリアミドとポリフェニレンオキシドとの共重合体混合物を備える、請求項１に記載のランプソケットアセンブリ。
【請求項３】
前記ハウジングおよび前記ボディは超音波溶接によって一体化して取付けられる、請求項１に記載のランプソケットアセンブリ。
【請求項４】
前記光源は白熱ランプである、請求項１に記載のランプソケットアセンブリ。
【請求項５】
自動車のランプソケットアセンブリであって、
ランプソケットと、
前記ランプソケット内に着脱可能に装着された白熱電球と、
前記白熱電球の周りに少なくとも部分的に延在する反射器と、
レンズとを備え、
前記ランプソケットは、
ナイロン６、ナイロン６，６、およびその混合物または共重合体からなる群から選ばれるポリアミドを備え、非結晶組織を有するハウジングと、
ナイロン４，６から形成され、結晶ポリマー構造を有し、前記白熱電球から放射されたＵＶ光に曝されるボディとを備える、自動車のランプソケットアセンブリ。
【請求項６】
前記ランプソケット内の開口部内に配置された複数の電気コンタクトと、
複数の端子とをさらに備え、前記複数の端子の各々は前記コンタクトの１つに電気的に接続され、
前記ソケットは、白熱電球と係合することによって前記開口部内に前記白熱電球を保持するための、前記開口部に配置された少なくとも１つの可撓性保持部材を含む、請求項５に記載の自動車のランプソケットアセンブリ。
【請求項７】
前記白熱電球は、前記保持部材と接触しているプラスチックスリーブを有する圧力封止端を含み、前記プラスチックスリーブは、ナイロン４，６、ＰＥＩおよびＰＰＡからなる群からの部材を備える、請求項５に記載の自動車のランプソケットアセンブリ。
【請求項８】
前記白熱電球は、ナイロン４，６、ＰＥＩおよびＰＰＡからなる群からの部材を有して備える成形プラスチックベースを含む、請求項５に記載の自動車のランプソケットアセンブリ。
【請求項９】
ともに組立てられた多数の部品を備える自動車のランプソケットアセンブリであって、前記部品は
ランプソケットと、
通電されると可視光およびＵＶ光を生成する電球とを含み、前記電球は前記ランプソケット内に装着されており、前記部品はさらに
前記電球の周りに少なくとも部分的に延在する反射器と、
レンズとを含み、
前記ランプソケットは、
ナイロン６、ナイロン６，６、およびその混合物または共重合体からなる群から選ばれるポリアミドを備え、非結晶組織を有するハウジングと、
ナイロン４，６から形成され、結晶ポリマー構造を有し、前記電球から放射されたＵＶ光に曝されるボディとを備える、自動車のランプソケットアセンブリ。
【請求項１０】
前記ハウジングは、ポリアミドとポリフェニレンオキシドとの共重合体混合物を備える、請求項９に記載の自動車のランプソケットアセンブリ。
【請求項１１】
前記ハウジングおよび前記ボディは超音波溶接によって一体化して取付けられる、請求項９に記載の自動車のランプソケットアセンブリ。
【請求項１２】
前記電球は白熱ランプである、請求項９に記載の自動車のランプソケットアセンブリ。
【発明の詳細な説明】
【技術分野】
【０００１】
関連出願との相互参照
本願は、２００５年１１月１８日に提出された、米国仮特許出願連続番号６０／７３８，１１４の優先権を主張し、その全体が引用により本明細書中に援用されている。
【０００２】
技術分野
この発明はランプソケットおよびランプアセンブリに関し、特に、外部照明適用例において用いられる自動車のランプソケットアセンブリに関する。
【背景技術】
【０００３】
発明の背景
外部車両照明適用例において用いられるランプソケットは典型的にプラスチックから作られる。これらのソケットに一般的に用いられる１つのプラスチック合金は、ゼネラル・エレクトリック・カンパニー（General Electric Company）からNoryl GTX 810（商標）
という商標で販売されている、ポリフェニレンオキシド（ＰＰＯ）とナイロン６，６のガラス入り混合物である。このプラスチックは、ほとんどの他のものと同様に、その意図された車両照明適用例における通常使用の際にある程度ガスが抜ける。Noryl GTX 810など
のプラスチックのガス抜けは、他のランプアセンブリ部品（たとえばレンズおよび／または反射器）を曇らせ、これは全体的なランプアセンブリの外観、美観、および測光性能に悪影響を及ぼし得ることが公知である。そのような材料のガス抜けを減少させるためのさまざまな方策が提案されてきた。たとえば、ヘッドランプの寿命にわたってガスが抜けないと報告されている炭化チタンコーティングを用いる車両ヘッドランプのための光シールドを開示している、フレーザー（Frazier）に対する米国特許第６，０１２，８３０号を
参照。他の例として、ヒース（Heath）に対するＰＣＴ公開出願番号ＷＯ  ０２／０７５
８６３  Ａ１は、Noryl GTX 810プラスチックと比較してレンズおよび反射器の曇りを減
少させることがわかったポリエーテルイミド（ＰＥＩ）から形成されるランプソケットを開示している。
【０００４】
Ｓ−８／ＧＴ−８電球（bulb）適用例などの典型的な車両外部信号照明適用例または同様の適用例において、この曇りは、ランプアセンブリ内で用いられるレンズの内部表面および反射器表面上に膜として生じる。Noryl GTX 810を用いるソケットについて、この膜
は以前に分析され、プラスチック中のナイロン６，６からの環状二量体Ｃ12Ｈ22Ｏ2Ｎ2であると判断された。ランプソケットを１３０℃で９０分間試験した、この膜のより最近の分析では、ランプソケットがスチレンおよびトルエン型構造を生成することがわかった。さらに、同一の試験条件下で、ＧＴ−８電球上に用いられるナイロンスリーブまたはベースが、自らアニリンおよびベンゼン型構造を生成していることがわかった。
【０００５】
外部照明適用例のためのランプソケットアセンブリについて、ソケット、ハウジングまたは両方についての使用を含んで、ＰＥＩを使用することが特定されたが、上述の種類のランプソケットおよびランプアセンブリに使用され得る付加的な材料を特定する必要がある。
【発明の概要】
【課題を解決するための手段】
【０００６】
発明の要約
この発明に従って、ソケットアセンブリのガス抜けを制限することが望ましいか必要である適用例において、交換可能な白熱電球または他の高温光源とともに用いられ得るラン
プソケットアセンブリが提供される。ソケットアセンブリは、ナイロン４，６プラスチックを備える高温プラスチックソケットボディを備える。ソケットは、白熱電球の圧力封止端を受けるための開口部を有し、複数の電気コンタクトが開口部内に配置されて電球上の対応するリード線と結合する。コンタクトは、ソケットを車両配線ハーネス内に接続するために、ソケット内で対応する端子に電気的に接続される。好ましくは、ソケットは、ソケットハウジングと、ソケットハウジングに一体化して取付けられた別個のソケットボディとを備え、ソケットボディはナイロン４，６から作られ、ソケットハウジングは、ナイロン６またはナイロン６，６、およびその混合物または共重合体などのさまざまなポリアミドなどの、より低温のプラスチックから作られる。
【０００７】
この発明の他の局面に従って、ガラスエンベロープと、エンベロープ内の発光要素と、エンベロープ内の発光要素を支持する複数のリード線と、エンベロープの圧力封止端の上に取付けられたスリーブとを有する白熱電球または他の高温光源が提供される。スリーブはナイロン４，６材料を備える。ある一定の電球適用例では、バルブエンベロープの圧力封止端およびプラスチックスリーブを、リード線に電気的に接続され、かつソケットアセンブリの電気端子と電気的に接続するためにベースから出て延在するように適合された端子を有する成形プラスチックベースと取替えてもよい。ベースは、ナイロン４，６、ＰＥＩまたはポリフタルアミド（ＰＰＡ）などの、ガス抜けが減少する傾向にある高温プラスチックから形成され得る。
【０００８】
この発明の他の局面に従って、ランプソケットと、ランプソケット内に着脱可能に装着された白熱電球と、電球の周りに少なくとも部分的に延在する反射器と、レンズとを備え、ランプソケットの少なくとも一部はナイロン４，６から作られる、自動車のランプアセンブリが提供される。
【０００９】
この発明のさらに他の局面に従って、ソケットアセンブリのガス抜けを制限することが望ましいか必要である適用例において、交換可能な白熱電球または他の高温光源とともに用いられ得るランプソケットアセンブリが提供される。ソケットアセンブリは、ナイロン４，６プラスチックを備える高温プラスチックソケットボディを備える。白熱電球または他の高温光源は、ガラスエンベロープと、エンベロープ内の発光要素と、エンベロープ内の発光要素を支持する複数のリード線と、エンベロープの圧力封止端の上に取付けられた高温プラスチックスリーブとを有する。スリーブ材料は、ソルベイアドバンストポリマーズ株式会社（Solvay Advanced Polymers）からAMODEL（商標）という商標で製造および販売されているナイロン４，６、ＰＥＩまたはＰＰＡなどの、ガス抜けが減少する傾向にある高温プラスチックを備え得る。ある一定の電球適用例では、電球の圧力封止端およびプラスチックスリーブを、リード線に電気的に接続され、かつソケットアセンブリの電気端子と電気的に接続するためにベースから出て延在するように適合された端子を有する成形プラスチックベースと取替えてもよい。ベースは、ナイロン４，６、ＰＥＩまたはＰＰＡなどの、ガス抜けが減少する傾向にある高温プラスチックから形成され得る。
【００１０】
本発明の好ましい例示的な実施例を添付の図面とともに以下に説明する。同様の参照番号は同様の要素を示す。
【図面の簡単な説明】
【００１１】
【図１】この発明に従って構築された外部車両ランプアセンブリの側面図であり、アセンブリの一部を断面で示す図である。
【図２】図１のランプソケットのうちの１つの断面図である。
【図３】この発明のランプソケットの代替的な実施例の断面図である。
【図４】本発明に従って構築された白熱電球の側面図である。
【図５】ソケットアセンブリハウジングの上面図である。
【図６】図５の線６−６でとられたハウジングの断面図である。
【図７】ソケットアセンブリボディの上面図である。
【図８】図７の線８−８でとられたボディの断面図である。
【図９】線９−９でとられた図７のボディの断面図である。
【発明を実施するための形態】
【００１２】
好ましい実施例の詳細な説明
以下に説明され添付の図面で示される実施例では、電球くさびベース上で用いられるランプソケットボディおよびスリーブは、現在業界で用いられている先行技術のプラスチック材料の少なくともいくつかと比較してガス抜けが減少することがわかったナイロン４，６から作られる。本願発明者の研究により、ポリアミド（ＰＡ）Noryl GTX 810プラスチ
ックランプソケットから作られるランプソケットの稼動中の通常使用の際のガス抜けは主
に、ソケット内で用いられる透明の白熱電球から放射されるＵＶ光に起因するプラスチック材料の光酸化による劣化の結果であることが判明した。ナイロン４，６ソケットアセンブリ、特にこの材料から形成されるソケットボディを有するソケットアセンブリを用いると、ランプソケットアセンブリのガス抜けがその意図される環境で用いられた際に大幅に減少する。これは、以下に説明されるように、ソケットガス抜けの減少、機械的強度および寸法安定性を含む、改良された熱的安定性を提供するナイロン４，６の化学的および物理的特徴によるものである。
【００１３】
図１は、ブレーキをかけ、曲がる合図を出し、バックするために、別個の後方方向の明かりを提供するための後方車両照明に用いられ得るような外部車両ランプアセンブリ１０を示す。アセンブリ１０は共通の後板１２を含み、一体の部品として形成される３つの反射器１３〜１５がこれに装着され、３つの反射器区分１３〜１５の各々は、それぞれのレンズ１６〜１８で覆われ、それぞれのランプソケット１９〜２１が配置される中央の開口部を有する。各ランプソケットは共通の後板１２に独立して装着され、各々は、白熱電球２２〜２４、または白熱電球と同様の動作温度範囲、たとえば２００〜４５０°Ｆを有する他の公知の光源を含むか、または動作可能に受け得る。ランプアセンブリ１０は、複数のランプソケット１９〜２１および反射器区分１３〜１５、または単一のランプソケットおよび反射器区分を、いずれかの組合せで備え得る。図１のランプアセンブリ１０はそのようなアセンブリの例に過ぎず、当業者によって認識され得るように、これらの要素の多くの他の構成または実施例が可能である。
【００１４】
図２は、ランプソケット１９の１つおよびその関連の電球２２のさらなる詳細を示す。同図に示されるように、ランプソケット１９は実際は、ソケットハウジング３０と、ハウジング内に装着されたソケットボディ３２と、電球２２に電力を与えるためのボディ３２内の電気コンタクト３４のセットと、コンタクト３４に電気的に接続されて後板１２からコンタクト３４に電力を与える端子３６の対応するセット（断面図では１つしか示されていない）とから形成されるソケットアセンブリである。ソケットボディ３２は電球２２と接触しており、したがって、２００〜４５０°Ｆの間の温度を含み得る、電球２２のアセンブリ１０の動作に関連して最も高い動作温度に晒される。ソケットハウジング３０はソケットボディ３２を収容し、電球２２または他の光源と一般に直接接触しておらず、したがってソケットボディ３２より若干低い温度に晒される。温度差の程度は、ソケットボディの壁の厚み、用いられるプラスチックの熱伝導率、ランプキャビティのサイズ、および電球２２からのハウジング３０への温度降下に影響を及ぼす他の要因などの、設計のさまざまな局面に依存する。電球２２は圧力封止端４０を有する白熱電球または他の同様の光源であり、圧力封止端４０は、凹状チャネルを有するプラスチックスリーブ４２を含み、この凹状チャネルにより、電球をランプソケット１９内で所定の位置に弾性的に保持することができる。電球２２についての好適な電球およびスリーブ設計が、ホルマン等（Holman et al.）に対する米国特許第５，１８６，６６９号およびボーデム  ジュニア（Bodem, Jr.）に対する第５，４８６，９９１号に開示されており、これらの完全な開示内容は
引用により本明細書中で援用されている。好適な既存のＧＴ−８電球は、フェデラル−モーグル  コーポレイション（Federal-Mogul Corporation）のワグナー照明部門（Wagner Lighting division）からも市販されている。
【００１５】
電球２２は、ソケット１９のボディ３２内の開口部５０内に装着される。その開口部５０内には、電気コンタクト３４、および１対の対向する可撓性保持部材、またはフィンガー５２が配置される。これらのフィンガーは各々が白熱電球２２の圧力封止端においてスリーブ４２と係合し、これによって電球を開口部５０内に保持する。これは、各保持フィンガー５２に、対向するフィンガーに面し、かつ電球２２が開口部に挿入されるとスリーブ４２上の対応する凹状チャネルにパチンと嵌まる突起部を設けることによって、示されるように達成される。フィンガー５２は可撓性なので、電球はソケットの一体化した部分
ではなく、電球に十分な上向きの力をかけてフィンガーを外側に曲げ、電球の圧力封止端が上昇してソケット１９から出ることを可能にすることによって着脱可能および交換可能である。したがって、アセンブリ１０は電球２２を含んでもよいし、または電球２２がアセンブリ１０の非組立部分としてもしくは完全に別個の部品として設けられるように電球２２なしで設けられてもよい。ソケット１９およびコンタクト３４の多くの他の構成および実施例が可能であり、本発明の範囲内である。
【００１６】
電気コンタクト３４はボディ３２内に配置され、端子３６はハウジング３０内に配置されるので、コンタクトおよび端子は、ハウジングとボディとの界面でともに接続する別個の部品である。しかし、各コンタクトは端子と関連付けられ、コンタクトが別個の部品ではなく端子の一体の延長部であるソケットアセンブリ１０の他の実施例も用いられ得る。端子は後板１２上の対応するパッドと結合するように設計されているので、単一のコネクタ５６を用いてすべての３つのソケット１９〜２１に電力を供給することができる。
【００１７】
ソケットアセンブリ１０全般、ならびに特にソケット１９〜２１および後板１２のより完全な説明が、フォリッシュ（Forish）に対する米国特許第５，５３６，１７４号に含まれており、この完全な開示内容は引用により本明細書中で援用されている。フォリッシュ等（Forish et al.）に対する米国特許第６，１３９，３３４号も、この発明の範囲から
逸脱することなく好適に用いられ得る代替的な後板およびソケットアセンブリを開示しており、この特許の完全な開示内容も引用により本明細書中で援用されている。また、ハウジングおよびハウジングに一体化して取付けられたボディの両方を有する２部分からなるソケットアセンブリを用いるのではなく、ボディの特徴をも組込んだ単一の一体ハウジングを用いてもよい。一体のソケットハウジング構成では、二個取成形、二段成形、インサート成形または同様のプラスチック成形技術を用いて、２部分からなる成形製品として、ボディ特徴がナイロン４，６で形成され得、ハウジングの残りの部分が、ナイロン６もしくはナイロン６，６、またはその混合物もしくは共重合体などのさまざまな他のポリアミドを含む、より低温のプラスチックで形成され得る。
【００１８】
図３は、共通の後板１２が用いられない適用例において用いられ得る、この発明のランプソケットアセンブリ５８の代替的な実施例を示す。図２の実施例と同様に、図３のソケットアセンブリ５８は、ハウジング６０およびフィンガー６４を有するボディ６２、ならびに電気コンタクト６６および端子６８を含むが、ハウジング６０の一体部分として端子を囲むコネクタ７０も含む。そのようなソケットアセンブリ５８は、１つよりも多いソケットをも組込み得る。ランプソケットアセンブリ５８および付加的なソケット実施例のより完全な説明が、フォリッシュ等（Forish et al.）に対する米国特許第５，０３５，６
４３号に含まれており、この完全な開示内容は引用により本明細書中で援用されている。
【００１９】
本発明の１つの局面に従って、ランプソケットアセンブリ１９〜２１および６０はナイロン４，６を用いて作られる。ハウジング３０、６０およびボディ３２、６２の両方がナイロン４，６から作られ得るが、両方がそうである必要はなく、たとえばボディ３２、６２のみがナイロン４，６から作られるソケットアセンブリを構築してもよい。ランプアセンブリ１０の好ましい実施例では、ボディ３２、６２がナイロン４，６から形成されて、ガス抜けの減少、熱的および機械的安定性に関して本明細書中で説明される利点、ならびに本明細書中で説明される他の利点を得る。より低い動作温度に晒されるハウジング３０、６０は異なるプラスチック、特にガス抜けに関して性能が低いプラスチックから形成され、好適なプラスチックの例はNoryl GTX 810である。ガス抜け性能はナイロン４，６よ
り劣るが、依然としてハウジング３０、６０内の使用に好適な他のプラスチックは、ナイロン６およびナイロン６，６、ならびにその混合物および共重合体などの、混合物および共重合体を含むすべての態様のポリアミドを含むと考えられる。他のエンジニアリングプラスチックも、機械的接合もしくは他の物理的取付手段、または同時成形（co-molding）
の場合のような化学結合のいずれかによってボディ３２、６２に動作可能に取付けられ得る限りは、ハウジング３０、６０内の使用に好適であり得る。ガラス入りのポリアミド・ポリフェニレンオキシド（ＰＡ−ＰＰＯ）共重合体（Noryl GTX 810）の場合、ボディ３
２、６２は超音波溶接を用いてハウジング３０、６０に取付けられた。ハウジング３０、６０の溶接は図５〜図９を参照して理解され得る。
【００２０】
ここで図５および図６を参照して、ハウジング３０がそれぞれ上面図および断面図で図示される。ハウジング３０、６０は、ほぼ円筒形状であり、かつボディ３２、６２のコンタクト挿入部２２６を受ける中央のソケットキャビティ２２５を含む。ハウジング３０、６０は、径方向に内側にキャビティ２２５内に突き出し、かつ組立時にボディ３２、６２をハウジング３０、６０に対して適切に向けるために用いられるキー２４０を含む。ハウジング３０、６０はさらに、キャビティ２２５内に開口し、かつキャビティ２２５を規定するハウジング３０、６０の放射状の壁２４５内にハウジング内に形成される３つの凹部２４２、２４３、２４４を含む。凹部２４２、２４３、２４４はそれぞれ、接地、主および副電気回路コンタクトとして採用される端子３６を収納する。コンタクト挿入部２２６をキャビティ２２５内に適切に配置するため、１対のコンタクト挿入キー２４７もキャビティ２２５内に設けられる。ハウジング３０、６０内のアーチ形のキャビティ２４９により一定の壁の厚みが確実に維持され、これによりハウジング３０、６０の剛性または動作を損なうことなくハウジング３０、６０のプラスチック消費を減らすことができる。
【００２１】
好ましくはソケットキャビティ２２５の底壁２５０の上部の内部表面上に、複数のエネルギ導波器またはリブ２５２が設けられる。三角形に構成された上面を含むエネルギ導波器２５２は、キャビティ２２５内でキャビティの底壁２５０から軸方向に上向きに延在する。示されるようなエネルギ導波器２５２により、音波溶接による取付けが採用された際に確実にボディ３２、６２がハウジング３０、６０に適切に固定される。ボディ３２、６２は図７〜図９においてより特定的に示される。図２および図６において一番よく分かるように、ハウジング３０、６０から軸方向に下向きにフランジ２５４が突き出しており、これは、ランプソケットアセンブリ２０１の挿入および抜き取りの際にランプソケットアセンブリ２０１を回転させるためのグリップとして用いられ得る。
【００２２】
ボディ３２、６２は図７〜図９においてより特定的に示される。ボディ３２、６２の外部表面は、放射状に突き出したロッキング突起２５６ａおよび２５６ｂを含む。後板アセンブリ１２内の結合するキー締めされた開口の構成に対応する角度の向きにボディ３２、６２の周りで位置決めされたロッキング突起２５６を用いて、ランプソケットアセンブリ１９、２０、２１を後板アセンブリ１２に設置してロックする。突起２５６はハウジング３０、６０の軸方向の突出によって形成され得ることが認識されるであろう。さらに、カム突起が好ましいが、一方の部分の弾性フィンガーを用いて他方の部分の相補の溝と係合するなどの、アセンブリ１９、２０、２１を後板アセンブリ１２に設置するための他の手段が本発明の範囲内である。ロッキング突起２５６ａおよび２５６ｂは、ソケットアセンブリ１２が後板アセンブリ１２に固定される際に不適切に挿入されることがあり得ないようにキー締めされる。各ロッキング突起２５６ａおよび２５６ｂはカム表面２５８を含み、ロッキング突起２５６ｂは、上部ボディパネルの露出部分と当接するための下向きに延在する停止肩部をその後端に含み得る。カム表面２５８は、組立てられたランプソケットアセンブリを挿入する際に、後板アセンブリ１２の上部パネルの上面上をカム動作する。この挿入の際に、ランプソケットアセンブリ１９、２０および２１、特にぴったりと嵌合する軸方向の封止材３１が、装着フランジ３５がスリーブ３３のうちの１つの底部端縁に接触するようにスリーブ３３内に引込まれる。このようにして、後板アセンブリ１２が、突起２５６の底面と装着フランジ３５の頂部の環状表面との間に捕捉される。停止肩部２６０は、端子がそれぞれコンタクトパッドに合わされてコンタクトパッドに触れるように、ランプソケットアセンブリ１９、２０、２１の回転挿入を適切な回転の向きで確かに停
止させる。
【００２３】
ボディ３２、６２は、側壁肩部２７０によって規定される１対の直径方向に対向する案内スロット２６９をも含む。案内スロット２６９は、その下部端において１対の停止リブ２７２によって境界をつけられる。案内スロット２６９およびリブ２７２は、ランプベース２１７に相補的に構造化される。ランプベース４７は、スロット２６９内で摺動し、かつランプ２２の装着部分内のリブ２７２に当接する放射状の突起部をいずれの端面にも含む（図示せず）。案内スロット２６９は、ランプベース４７を整列させ、２フィラメントランプ２２が確実に挿入されているように作用する。これは、他の適用例において典型的に用いられる１フィラメントランプが案内スロット２６９に嵌合しないためである。経路２６２を通してランプ２２を挿入する際、リブ２７２はランプ２２がボディ３２、６２に挿入され過ぎるのを防ぐ。ボディ３２、６２は、ボディの外部表面内に形成されるキースロット２７４をも含む。キースロット２７４は、図５に示されるような中央のソケットキャビティ２２５内に配置されたキー２４０と協働し、ボディ３２、６２をベース３０、６０に組立てる際にボディ３２、６２を適切に向ける。図９に示されるようなスロット２７６がボディ３２、６２の底部に設けられ、コンタクト挿入部２２６をハウジング２１２およびボディ２１４に組立てる際にコンタクト挿入部２２６を収納する。溶接リブ２７８がボディ２１４の底面上に設けられ、ボディ２１４がハウジング２１２に溶接される際にエネルギ導波器２５２と協働する。溶接リブ２７８は、隣接するリブ間に規定される空隙または間隔が、端子２３３〜２３５を受けるキャビティとして作用するように構成される。
【００２４】
ハウジング３０、６０、ボディ３２、６２、コンタクト３４および端子３６の組立後、アセンブリは、ハウジング２１２の底部２５０に適用される音波溶接または他の好適な溶接技術を受ける。直立した三角形のリブをその上部に有するエネルギ導波器２５２を設けることにより、音波溶接プロセスによって印加されるエネルギを適切に案内して、三角形のリブ部分を融解し、ボディ３２、６２をハウジング３０、６０に固定することができる。エネルギ導波器２５２はキャビティ２２５およびボディ３２、６２に対して軸方向に向いているため、ボディおよびハウジングがともに溶接されてエネルギ導波器２５２が融解すると、ボディ３２、６２はキャビティ２２５にさらに入ることになる。音波溶接は、突起２５６の底面と装着フランジ２２４の上面との距離が所定の限界内になると停止することになる。軸方向のエネルギ導波器２５２を適切に設計することにより、音波溶接の強度および均一性は許容範囲内に収まることになる。音波溶接の完了後、軸方向の封止材３１が設置され、ランプ２２がパチンと嵌められて保持フィンガー２６４と係合する。ランプソケットアセンブリ１０の組立が完了する。
【００２５】
ランプソケットをナイロン４，６で形成するのに加え、または形成する代わりに、ランプアセンブリ１０内の他のプラスチック部品をこの材料で形成してもよい。好ましくは、白熱電球から放射されるＵＶ光に晒されるそれらの部品のすべて、特にボディ３２、６２などのより高い熱レベルに晒される部品はナイロン４，６から形成される。たとえば、反射器１３〜１５もナイロン４，６から形成され得る。代替的に、それらはたとえばより一般的に用いられるプラスチックから形成され得、次に金属化され得、これにより、可視光反射率が改良されるのに加えてガス抜けが減少する。
【００２６】
ここで図４を参照して、白熱電球２２がより詳細に示される。電球２２は、その圧力封止端４０で閉じられた透明のガラスバルブエンベロープ３９を含む。バルブエンベロープ３９内には、圧力封止端４０を通って電球の表面上の露出場所に延在するリード線４３によって支持される、１対のフィラメント４１がある。プラスチックスリーブ４２は圧力封止端４０の上に嵌合され、リード線の端子端を覆う。本発明の他の局面に従って、プラスチックスリーブ４２はナイロン４，６から作られる。ＰＥＩおよびＰＰＡなどの、ガス抜けが減少する他のプラスチックを用いてもよい。電球２３および２４は電球２２と同一の
態様で構築され得る。さらに、いくつかの電球２２の構成においては、電球２２の圧力封止端４０およびプラスチックスリーブ４２を、リード線４３の端子端に取付けられ、かつソケットアセンブリに動作可能に電気的に接続されるように外側に延在する端子を内部に有する円筒形のプラスチックベースなどの、成形プラスチックベース（図示せず）と取替えてもよい。このプラスチックベースもナイロン４，６、ＰＥＩまたはＰＰＡから形成され得る。
【００２７】
上述の実施例では、ナイロン４，６は、Koninklijke DSM N.V.（http://www.dsm.com/en）から入手可能な、Stanyl（商標）という商標で市販されている種類のものである。こ
の高結晶形態のポリアミド（ナイロン）は、ナイロン６，６およびナイロン６などの非結晶組織を有するものとは違っている。この理由は、ナイロン４，６が高結晶ポリマー構造を有し、ガラス転移温度（ＴＧ）が比較的低く、融解温度（ＴＭ）および熱たわみ温度（ＨＤＴ）が比較的高いためである。ナイロン４，６および他のナイロンはかなりの量の水を吸収し、これは次に、材料の靭性を増大させつつ剛直性および強度を減少させることによって材料の機械特性に影響を及ぼす。しかし、ナイロン４，６は、ＴＧが比較的低いために異なる。ガラス転移温度は、材料がより結晶性の分子構造からより非結晶性の構造に移る際に発生する。非結晶構造内では、ポリマー分子がより容易に移動することができ、したがって材料の剛性はより低い。ソケットボディ３２、６２の動作温度（２００Ｆ〜４５０°Ｆのどこか）のため、この範囲内のＴＧは、機械特性の機械的に最も重要な点で機械特性に影響を及ぼすことになる。ナイロン４，６のＴＧはより低く、この動作範囲外である。ソケットアセンブリの動作中、ＴＧにおける機械特性の変化は光ソケットの機能にさらなる悪影響を及ぼさない。吸収された水は、一旦プラスチックが１００℃よりも高い温度になると追い出される。吸収された水分はしたがって存在せず、動作温度範囲にわたって機械特性に影響を及ぼさない。ナイロン４，６の高結晶構造のため、アミノ結合を破壊してガス抜けプロセスを開始する加水分解劣化を生じることなく、ポリマーから水が追い出される。ナイロン４，６は、これらの独自の特徴により、光ソケット適用例に特に好適となる。
【００２８】
したがって、１つまたはそれ以上の部品が本明細書中で述べられた目標および利点を達成するＵＶ安定化プラスチックから形成されるランプソケットアセンブリがこの発明に従って提供されたことが明らかとなるであろう。上記の説明は本発明の好ましい例示的な実施例についてのものであり、本発明は示される特定の実施例に限定されないことがもちろん理解されるであろう。さまざまな変更および修正が当業者に明らかになるであろう。すべてのそのような変形および修正は添付の請求項の範囲内に入ると意図される。
【符号の説明】
【００２９】
１０  アセンブリ、１２  後板、１３〜１５  反射器、１６〜１８  レンズ、１９〜２１  ランプソケット、２２〜２４  白熱電球。
【図１】
0005584735.tif 000002
【図２】
0005584735.tif 000003
【図３】
0005584735.tif 000004
【図４】
0005584735.tif 000005
【図５】
0005584735.tif 000006
【図６】
0005584735.tif 000007
【図７】
0005584735.tif 000008
【図８】
0005584735.tif 000009
【図９】
0005584735.tif 000010